(57)【特許請求の範囲】
【請求項１】
パターンが付与されたビームを供給するパターン形成系と、
基板を支持する基板テーブルと、
前記パターンが付与されたビームを前記基板の標的部分上へ投影し、前記パターン形成系と前記基板テーブルの間にひとみを画成する投影系と
を備え、前記投影系が、
前記ひとみと前記基板テーブルの間に位置する一連のレンズ構成要素
を含み、前記レンズ構成要素が、
前記ひとみからの前記パターンが付与されたビームを拡大するビーム・エキスパンダと、
前記パターンが付与されたビームに対して横切る方向に延在するレンズのアレイであって、前記レンズ・アレイのそれそれのレンズが、前記パターンが付与されたビームのそれぞれの部分を、前記基板の前記標的部分の対応するそれぞれの部分上へ集束させるように延在するレンズ・アレイと
を含み、
前記投影系の倍率を調整するため、前記ビーム・エキスパンダは非平行なビームを前記レンズ・アレイに対して放射し、前記レンズ・アレイはその位置が前記ひとみに対して調整可能に構成された
リソグラフィ装置。
【請求項２】
前記ひとみ及び前記ビーム・エキスパンダに対して前記レンズ・アレイを変位させるアクチュエータ系をさらに備えた、請求項１に記載のリソグラフィ装置。
【請求項３】
前記アクチュエータ系が３つ以上のアクチュエータを含む、請求項２に記載のリソグラフィ装置。
【請求項４】
前記アクチュエータが独立に操作可能である、請求項３に記載のリソグラフィ装置。
【請求項５】
前記パターンが付与されたビームに対する前記レンズ・アレイの傾きを調整することができる、請求項１に記載のリソグラフィ装置。
【請求項６】
パターンが付与されたビームを供給するステップと、
ひとみを画成し、且つ前記ひとみと基板テーブルの間に位置する一連のレンズ構成要素を含む投影系を使用して、前記パターンが付与されたビームを基板の標的部分上へ投影するステップと、
前記レンズ構成要素のビーム・エキスパンダ部分と前記パターンが付与されたビームに対して横切る方向に延在するレンズ・アレイとを使用して、前記ひとみからの前記パターンが付与されたビームを拡大するステップと、
前記レンズ・アレイのそれぞれのレンズを使用して、前記パターンが付与されたビームのそれぞれの部分を、前記基板の前記標的部分の対応するそれぞれの部分上へ集束させるステップと、
前記ビーム・エキスパンダから非平行なビームを前記レンズ・アレイに対して放射して前記レンズ・アレイの位置を前記ひとみに対して調整することによって前記投影系の倍率を調整するステップと
を含むデバイス製造方法。
【請求項７】
前記ひとみ及び前記ビーム・エキスパンダに対して前記レンズ・アレイを変位させるステップをさらに含む、請求項６に記載の方法。
【請求項８】
前記変位ステップが３つ以上のアクチュエータを使用することを含む、請求項７に記載の方法。
【請求項９】
前記変位ステップがさらに、前記アクチュエータを独立に操作することを含む、請求項８に記載の方法。
【請求項１０】
前記投影ビームに対する前記レンズ・アレイの傾きを調整するステップをさらに含む、請求項６に記載の方法。
【請求項１１】
パターンが付与されたビームを供給するパターン形成系と、
基板を支持する基板テーブルと、
前記パターンが付与されたビームを前記基板の標的部分上へ投影し、前記パターン形成系と前記基板テーブルの間にひとみを画成する投影系と
を備え、前記投影系が、
前記ひとみと前記基板テーブルの間に位置する一連のレンズ構成要素
を含み、前記レンズ構成要素が、
前記ひとみからの前記パターンが付与されたビームを拡大するビーム・エキスパンダと、
前記パターンが付与されたビームに対して横切る方向に延在するレンズのアレイであって、前記レンズ・アレイのそれそれのレンズが、前記パターンが付与されたビームのそれぞれの部分を、前記基板の前記標的部分の対応するそれぞれの部分上へ集束させるように延在するレンズ・アレイと
を含み、
前記ビーム・エキスパンダに含まれる少なくともひとつのレンズの位置を前記ひとみに対して調整することで前記ビーム・エキスパンダが前記レンズ・アレイに対して非平行なビームを放射し、前記投影系の倍率を調整することを特徴とする
リソグラフィ装置。
【請求項１２】
前記基板テーブルは、前記投影系の焦点を調整するため、前記基板の位置を軸方向に調整することを特徴とする請求項１または１１に記載のリソグラフィ装置。
【請求項１３】
パターンが付与されたビームを供給するステップと、
ひとみを画成し、且つ前記ひとみと基板テーブルの間に位置する一連のレンズ構成要素を含む投影系を使用して、前記パターンが付与されたビームを基板の標的部分上へ投影するステップと、
前記レンズ構成要素のビーム・エキスパンダ部分と前記パターンが付与されたビームに対して横切る方向に延在するレンズ・アレイとを使用して、前記ひとみからの前記パターンが付与されたビームを拡大するステップと、
前記レンズ・アレイのそれぞれのレンズを使用して、前記パターンが付与されたビームのそれぞれの部分を、前記基板の前記標的部分の対応するそれぞれの部分上へ集束させるステップと、
前記ビーム・エキスパンダに含まれる少なくともひとつのレンズの位置を前記ひとみに対して調整することで前記ビーム・エキスパンダから前記レンズ・アレイに対して非平行なビームを放射して前記投影系の倍率を調整するステップと
を含むデバイス製造方法。
【請求項１４】
前記基板位置を軸方向に調整することによって前記投影系の焦点を調整するステップをさらに含む請求項６または１３に記載のデバイス製造方法。
【発明の詳細な説明】
【技術分野】
【０００１】
本出願は、その全体が参照によって本明細書に組み込まれる２００４年４月３０日出願
の米国特許出願第１０／８３５，６０１号の一部継続出願である。
【０００２】
本発明は一般にリソグラフィ装置及びデバイス製造方法に関する。
【背景技術】
【０００３】
リソグラフィ装置は、基板の標的部分に所望のパターンを適用する機械である。リソグ
ラフィ装置は例えば、集積回路（ＩＣ）、フラット・パネル・ディスプレイ及び微細構造
を含む他のデバイスの製造で使用することができる。従来のリソグラフィ装置では、マス
ク又はレチクルとも呼ばれるパターン形成装置を使用して、ＩＣ（又は他のデバイス）の
個々の層に対応する回路パターンを生成することができる。このパターンを、放射感受性
材料（例えばレジスト）の層を有する基板（例えばシリコン・ウェーハ又はガラス・プレ
ート）の標的部分（例えば１つ又は複数のダイの部分）に結像させることができる。パタ
ーン形成装置はマスクの代わりに、回路パターンを生成する個別に制御可能な要素のアレ
イを含むことができる。
【０００４】
一般に単一の基板は、連続して露光された隣接する標的部分のネットワークを含む。周
知のリソグラフィ装置には、１つの標的部分にパターン全体を一度に露光することによっ
てそれぞれの標的部分に照射するステッパ、投影ビームのパターンを所与の方向（例えば
「走査」方向）に走査し、同時にこの方向に平行に又は非平行に基板を同期走査すること
によってそれぞれの標的部分に照射するスキャナなどがある。一般に単一の基板は、連続
して露光された隣接する標的部分のネットワークを含む。周知のリソグラフィ装置には、
１つの標的部分にパターン全体を一度に露光することによってそれぞれの標的部分に照射
するいわゆるステッパ、投影ビームのパターンを所与の方向（「走査」方向）に走査し、
同時にこの方向に平行に又は非平行に基板を同期走査することによってそれぞれの標的部
分に照射するいわゆるスキャナなどがある。
【０００５】
リソグラフィ装置がステップ・モードで動作するのか、又は走査モードで動作するのか
に関わらず、パターンが付与されたビームが基板表面の適当な標的部分上へ導かれること
が肝要であることを理解されたい。多くの状況では、一連のリソグラフィ処理ステップの
結果として基板表面に多層構造が構築される。基板に形成されるこれらの連続層は、互い
の位置が正確に合っていなければならない。したがって、ビーム投影系に対する基板の位
置が正確に分かり、基板表面でのパターンの倍率が厳密に制御されることに非常な注意が
払われる。一般に、固定倍率を得ることが望ましいが、いくつかの状況、例えば連続した
処理ステップとステップの間に測定によって基板の小さな歪みが指示されたときには、倍
率を調整できることが望ましい。ごく小さな割合の基板の歪みが、製造されたデバイスの
品質及び信頼性に関して重大な変位につながりうる非常に大きな基板を処理する場合には
特にそうである。
【０００６】
マイクロレンズ・アレイ（ＭＬＡ）系では、レンズのアレイが、それぞれのレンズが対
応するそれぞれの光スポットを基板上に投影するように配置される。パターンが付与され
たビームがビーム・エキスパンダを通してマイクロレンズ・アレイ上へ投影される。ビー
ム・エキスパンダは、基板に向かって導かれる実質的に平行な放射ビームを生み出すよう
に設計される。マイクロレンズ・アレイはビーム・エキスパンダと基板の間に位置する。
マイクロレンズ・アレイのそれぞれのレンズは、この平行ビームのそれぞれの部分を、基
板の標的部分の対応するそれぞれの部分上へ集束させる。したがってマイクロレンズ・ア
レイは画素のアレイを基板上に結像させ、その結果、基板上に投影された一連の放射スポ
ットを与える。
【０００７】
スポットのピッチは、マイクロレンズ・アレイのレンズのピッチに直接に関係している
。これまで、マイクロレンズ・アレイ又は視野レンズの変位による倍率調整は使用されて
いない。マイクロレンズ・アレイ系の倍率を調整できないことは、このような系の重大な
欠点と見られている。
【発明の開示】
【発明が解決しようとする課題】
【０００８】
したがって、適当なレンズ変位を使用してマイクロレンズ・アレイの倍率調整を提供す
ることができる系及び方法が求められている。
【課題を解決するための手段】
【０００９】
本発明の一つの実施態様によれば、放射投影ビームを供給するための照明系と、投影ビ
ームの断面にパターンを付与する役目を果たすパターン形成系と、基板を支持するための
基板テーブルと、パターンが付与されたビームを基板の標的部分上へ投影するための投影
系とを備えたリソグラフィ装置が提供される。投影系は、パターン形成系と基板テーブル
の間にひとみを画成する。投影系は、ひとみと基板テーブルの間に位置する一連のレンズ
構成要素を含む。レンズ構成要素は、ひとみからのビームを拡大するためのビーム・エキ
スパンダと、ビームに対して横切る方向に延在するレンズのアレイであって、アレイのそ
れぞれのレンズが、投影ビームのそれぞれの部分を、基板の標的部分の対応するそれぞれ
の部分上へ集束させるように延在するレンズ・アレイとを含む。レンズ構成要素のうちの
少なくとも１つの構成要素の位置をひとみに対して調整して、投影系の倍率を調整するこ
とができる。
【００１０】
本発明の他の実施態様によればデバイス製造方法が提供される。この方法は、基板を用
意するステップと、照明系を使用して放射投影ビームを提供するステップと、パターン形
成系を使用して、投影ビームの断面にパターンを付与するステップと、ひとみを画成し、
且つひとみと基板テーブルの間に位置する一連のレンズ構成要素を含む投影系によって、
パターンが付与された放射ビームを、基板の標的部分上へ投影するステップとを含む。レ
ンズ構成要素は、ひとみからのビームを拡大するためのビーム・エキスパンダと、ビーム
に対して横切る方向に延在するレンズのアレイであって、アレイのそれぞれのレンズが、
基板の標的部分の対応するそれぞれの部分上へ集束させるように延在するレンズ・アレイ
とを含む。この方法はさらに、レンズ構成要素のうちの少なくとも１つの構成要素の位置
をひとみに対して調整することによって、投影系の倍率を調整する。
【００１１】
ビーム・エキスパンダの少なくとも１つのレンズ構成要素をひとみ及びレンズ・アレイ
に対して変位させ、又はレンズ・アレイを、ひとみ及びビーム・エキスパンダに対して変
位させ、又はレンズ・アレイとビーム・エキスパンダの少なくとも１つのレンズ構成要素
の両方をひとみに対して変位させることができる。
【００１２】
本発明の他の実施態様、特徴及び利点、並びに本発明のさまざまな実施例の構造及び動
作を、添付図面を参照して以下で詳細に説明する。
【００１３】
本明細書に組み込まれ本明細書の一部を構成する添付図面は、本発明を図解するととも
に、本明細書の説明とともに、本発明の原理を説明し、当業者が本発明を実施し使用する
ことを可能にする役目を果たす。
【実施例】
【００１４】
次に、添付図面を参照して本発明を説明する。図面では、同じ参照符号が同一の要素又
は機能的に同種の要素を指示する。
【００１５】
概要及び用語
マイクロレンズ・アレイ結像系を使用する本発明の一実施例では、照明系のビーム・エ
キスパンダの視野レンズ（視野レンズは２つ以上の別個のレンズから構成することができ
る）の機能が、視野レンズとマイクロレンズ・アレイとの間の光ビームの全ての成分が平
行であり、且つマイクロレンズ・アレイに対して垂直であることを保証することによって
、投影系をテレセントリックな系にすることにある。しかし、視野レンズとマイクロレン
ズ・アレイとの間の光ビームを実質的に平行にすることはできるが、絶対的な平行を達成
することはできない。
【００１６】
したがって、投影系がある程度の非テレセントリシティ（ｎｏｎ−ｔｅｌｅｃｅｎｔｒ
ｉｃｉｔｙ）を有する場合、本発明の一実施例によれば、ひとみと基板テーブルの間に位
置するレンズ構成要素のうちの１つ又は複数の構成要素を変位させることによって、集束
を過度に損なうことなく小規模の倍率調整を達成することができる。
【００１７】
一実施例では投影系がひとみを画成する。本明細書で使用する用語「ひとみ」は、パタ
ーン形成系の異なる位置から、パターン形成系に垂直な投影ビームの軸に対して同じ角度
でパターン形成系を出た投影ビームの放射線どうしが交わる平面を指す。
【００１８】
例えば、本発明の一実施例に従って、視野レンズとレンズ・アレイの間に完全に平行な
放射ビームが生み出されるように最初に視野レンズが配置されたマイクロレンズ結像系を
仮定する。さらに、視野レンズに到達する光が発散光であると仮定する。マイクロレンズ
・アレイから遠ざかる方向に視野レンズを変位させるとわずかに発散する投影ビームが得
られ、マイクロレンズ・アレイに近づく方向に視野レンズを変位させるとわずかに収束す
る投影ビームが得られる。しかし視野レンズが比較的に弱いレンズである場合には、基板
の歪み（一般にｐｐｍのオーダである）を補償するために投影系の倍率を変化させるため
に必要な変位を、基板表面への投影ビームの集束に対して受け入れがたい程度の影響を及
ぼすことなく達成することができる。基板に近づく方向又は基板から遠ざかる方向へのマ
イクロレンズ・アレイの変位による焦点の変化は１次の効果であり、その結果生じる倍率
の変化は２次の効果だが、それでもやはり有用な倍率調整は実施することができる。
【００１９】
この実施例では、視野レンズを、１枚のレンズ又は２枚以上のレンズから構築すること
ができる。それぞれの視野レンズを、マイクロレンズ・アレイに近づく方向又はマイクロ
レンズ・アレイから遠ざかる方向へ単純に平行移動させ、或いは、露光する基板の表面上
で倍率の差が生じるように視野レンズを傾けることができる。同様に、マイクロレンズ・
アレイを平行移動させ、且つ／又は傾けることもできる。
【００２０】
本明細書で使用する用語「個別に制御可能な要素のアレイ」は、入射投影ビームの断面
にパターンを付与して、基板の標的部分に所望のパターンを形成することができるように
するために使用することができる装置を指すものと広く解釈しなければならない。この文
脈では用語「光弁」及び「空間的光変調器」（ＳＬＭ）も使用することができる。このよ
うなパターン形成装置の例については後に論じる。
【００２１】
プログラム可能ミラー・アレイは、粘弾性制御層及び反射面を有する、マトリックス式
のアドレス指定が可能な表面を含む。このような装置の基本原理は、例えば反射面のアド
レス指定された領域は入射光を回折光として反射し、アドレス指定されていない領域は入
射光を非回折光として反射するというものである。適当な空間フィルタを使用して非回折
光を反射ビームから除き、回折光だけを残して基板に到達させることができる。このよう
にしてビームには、マトリックス式アドレス指定可能面のアドレス指定パターンに従った
パターンが付与される。
【００２２】
代替実施例として、フィルタが回折光を除去し、非回折光を残して基板に到達させるこ
ともできることを理解されたい。回折光学マイクロ電気機械系（ｍｉｃｒｏ  ｅｌｅｃｔ
ｒｉｃａｌ  ｍａｃｈａｎｉｃａｌ  ｓｙｓｔｅｍ：ＭＥＭＳ）デバイスのアレイを対応
する方法で使用することもできる。それぞれの回折光学ＭＥＭＳデバイスは、入射光を回
折光として反射する格子を形成するために互いに対して変形することができる複数の反射
リボンを含むことができる。
【００２３】
他の代替実施例は、適当な局所電界を適用することによって、又は圧電作動手段を使用
することによって軸を中心にそれぞれを個別に傾けることができる小さなミラーのマトリ
ックス配置を使用するプログラム可能ミラー・アレイを含む。この場合も、ミラーはマト
リックス式のアドレス指定が可能であり、アドレス指定されたミラーは入射放射ビームを
、アドレス指定されていないミラーとは異なる方向に反射させる。このようにして、反射
ビームに、マトリックス式アドレス指定可能ミラーのアドレス指定パターンに従ったパタ
ーンが付与される。必要なマトリックス式アドレス指定は適当な電子手段を使用して実施
することができる。
【００２４】
上で説明したどちらの例でも、個別に制御可能な要素のアレイは、１つ又は複数のプロ
グラム可能ミラー・アレイを備えることができる。ここで述べたミラー・アレイの詳細な
情報は、例えばその全体が参照によって本明細書に組み込まれる米国特許第５,２９６,８
９１号及び５,５２３,１９３号、並びにＰＣＴ特許出願ＷＯ９８／３８５９７及びＷＯ９
８／３３０９６から得ることができる。
【００２５】
プログラム可能ＬＣＤアレイも使用することができる。このような構造の一例が、その
全体が参照によって本明細書に組み込まれる米国特許第５,２２９,８７２号に開示されて
いる。
【００２６】
例えば画像構造のプレバイアス、光学的近接効果補正画像構造、位相変動技法及び多重
露光技法を使用する場合には、個別に制御可能な要素のアレイ上に「表示される」パター
ンが、基板の層又は基板上に最終的に転写されるパターンとは大きく異なる可能性がある
ことを理解されたい。同様に、基板上に最終的に生み出されるパターンが、個別に制御可
能な要素のアレイ上に瞬間的に形成されるパターンと一致しない可能性もある。このこと
は、基板のそれぞれの部分上に形成される最終的なパターンが構築される所与の期間又は
所与の露光回数の間に、個別に制御可能な要素のアレイ上のパターン及び／又は基板の相
対位置が変化する配置で起こり得る。
【００２７】
本明細書ではこの文脈において、ＩＣ製造でのリソグラフィ装置の使用を特に参照する
が、本明細書に記載のリソグラフィ装置は他の応用、例えばＤＮＡチップ、ＭＥＭＳ、Ｍ
ＯＥＭＳ、集積光学系、磁区メモリの誘導及び検出パターンフラット・パネル・ディスプ
レイ、薄膜磁気ヘッドなどの製造を有することを理解されたい。このような代替応用の文
脈において、本明細書で使用される用語「ウェーハ」又は「ダイ」はそれぞれ、より一般
的な用語「基板」又は「標的部分」と同義と考えることができることを当業者は理解され
たい。本明細書で参照する基板は、露光の前又は後に、例えばトラック（一般にレジスト
の層を基板に塗布し露光したレジストを現像するツール）或いは測定又は検査ツールで処
理することができる、適用可能な場合には本明細書の開示を、このような基板処理ツール
及び他の基板処理ツールに適用することができる。さらに、例えば多層ＩＣを作り出すた
めに基板は２回以上処理することができ、そのため、本明細書で使用する用語基板は、処
理された複数の層をすでに含む基板を指すこともできる。
【００２８】
本明細書で使用する用語「放射」及び「ビーム」は、紫外（ＵＶ）放射（例えば波長３
６５、２４８、１９３、１５７又は１２６ｎｍ）、極紫外線（ＥＵＶ）放射（例えば波長
５〜２０ｎｍ）、及びイオン・ビーム、電子ビームなどの粒子ビームを含む、あらゆるタ
イプの電磁放射を包含する。
【００２９】
本明細書で使用する用語「投影系」は、屈折光学系、反射光学系及び反射屈折光学系を
含む、例えば使用する露光放射、又は浸液の使用、真空の使用などの他の要素に関して適
当な、さまざまなタイプの投影系を包含するものと広く解釈しなければならない。本明細
書での用語「レンズ」の使用は、より一般的な用語「投影系」の使用と同義と考えること
ができる。
【００３０】
照明系も、放射投影ビームを誘導し、成形し、制御する、屈折、反射及び反射屈折光学
構成要素を含むさまざまなタイプの光学構成要素を包含し、以下、このような構成要素を
集合的に又は単独で「レンズ」と呼ぶことがある。
【００３１】
リソグラフィ装置は、２つ（例えばデュアル・ステージ）又は３つ以上の基板テーブル
（及び／又は２つ以上のマスク・テーブル）を有するタイプの装置とすることができる。
このような「多ステージ」装置では、これらの追加のテーブルを並行して同時に使用する
ことができ、或いは、１つ又は複数のテーブルを露光に使用している間に他の１つ又は複
数のテーブル上で準備ステップを実施することができる。
【００３２】
リソグラフィ装置は、比較的高い屈折率を有する液体（例えば水）に基板を浸して、投
影系の最後の要素と基板の間の空間を満たすタイプの装置とすることもできる。リソグラ
フィ装置の他の空間、例えばマスクと投影系の最初の要素との間の空間で浸液を使用する
こともできる。液浸技法は、投影系の開口数を増大させるものとして当技術分野でよく知
られている。
【００３３】
この装置はさらに、流体と基板の照射部分との間の相互作用を可能にする（例えば基板
に化学物質を選択的に付着させ、又は基板の表面構造を選択的に修正する）流体処理セル
を備えることができる。
【００３４】
リソグラフィ投影装置
図１に、本発明の一実施例に基づくリソグラフィ投影装置１００を概略的に示す。装置
１００は少なくとも、放射系１０２と、個別に制御可能な要素のアレイ１０４と、物体テ
ーブル１０６（例えば基板テーブル）と、投影系（「レンズ」）１０８とを含む。
【００３５】
放射系１０２は、放射（例えばＵＶ放射）投影ビーム１１０を供給するために使用する
ことができ、この特定のケースではさらに放射源１１２を含む。
【００３６】
個別に制御可能な要素のアレイ１０４（例えばプログラム可能ミラー・アレイ）は、投
影ビーム１１０にパターンを付与するために使用することができる。個別に制御可能な要
素のアレイ１０４の位置は、一般に投影系１０８に対して固定することができる。しかし
代替装置では、個別に制御可能な要素のアレイ１０４を、投影系１０８に対してアレイ１
０４を正確に配置するための位置決め装置（図示せず）に接続することができる。図示の
通り、個別に制御可能な要素１０４は（例えば個別に制御可能な要素の反射型アレイを有
する）反射型である。
【００３７】
物体テーブル１０６は、基板１１４（例えばレジストでコーティングされたシリコン・
ウェーハ又はガラス基板）を保持するための基板ホルダ（具体的には図示されなていない
）を備えることができ、投影系１０８に対して基板１１４を正確に配置するための位置決
め装置１１６に接続することができる。
【００３８】
投影系１０８（例えば石英及び／又はＣａＦ２レンズ系、或いは該材料から作られたレ
ンズ要素を含む反射屈折光学系、或いはミラー系）は、ビーム・スプリッタ１１８から受
け取ったパターンが付与されたビームを基板１１４の標的部分１２０（例えば１つ又は複
数のダイ）上へ投影するために使用することができる。投影系１０８は、個別に制御可能
な要素のアレイ１０４の像を基板１１４上に投影することができる。投影系１０８は或い
は、個別に制御可能な要素のアレイ１０４の要素がそれに対するシャッタの働きをする２
次源の像を投影することができる。投影系１０８はさらに、２次源を形成しマイクロスポ
ットを基板１１４上に投影するためのマイクロレンズ・アレイ（ＭＬＡ）を含むことがで
きる。
【００３９】
放射源１１２（例えばエキシマ・レーザ）は放射ビーム１２２を生み出すことができる
。ビーム１２２は、直接に、又は例えばビーム・エキスパンダ１２６などの調節装置１２
６を通過させた後に、照明系（照明装置）１２４に供給される。照明装置１２４は、放射
ビーム１２２の強度分布の半径方向外側及び／又は半径方向内側の広がり（普通はσイン
ナー及びσアウターと呼ばれる）を設定する調整装置１２８を備えることができる。さら
に照明装置１２４は一般に、インテグレータ１３０、コンデンサ１３２など、他のさまざ
まな構成要素を含む。このようにして、個別に制御可能な要素１０４のアレイに入射する
投影ビーム１１０は、所望の断面均一性及び断面強度分布を有する。
【００４０】
図１に関して、放射源１１２は、（例えば放射源１１２が水銀ランプであるときにしば
しばそうであるように）リソグラフィ投影装置１００のハウジングの中に収容することが
できることに留意されたい。代替実施例では、放射源１１２を、リソグラフィ投影装置１
００から分離して配置することもできる。この場合、放射ビーム１２２は（例えば適当な
誘導ミラーの助けを借りて）装置１００の中に導かれることになる。この後者のシナリオ
は、放射源１１２がエキシマ・レーザであるときにしばしば用いられる。これらのシナリ
オはともに本発明の範囲内で企図されることを理解されたい。
【００４１】
ビーム１１０は続いて、ビーム・スプリッタ１１８を使用して導かれた後に個別に制御
可能な要素のアレイ１０４に入射する。個別に制御可能な要素のアレイ１０４によって反
射された後、ビーム１１０は投影系１０８を通過し、投影系１０８はビーム１１０を、基
板１１４の標的部分１２０上に集束させる。
【００４２】
位置決め装置１１６（及び任意選択で、ビーム・スプリッタ１４０を介して干渉計ビー
ム１３８を受け取るベース・プレート１３６上の干渉計測定装置１３４）を用いて、ビー
ム１１０の通り道に別の標的部分１２０が配置されるように、基板テーブル１０６を正確
に移動させることができる。個別に制御可能な要素のアレイ１０４の位置決め装置を使用
する場合には、これを使用して、例えば走査中に、ビーム１１０の経路に対する個別に制
御可能な要素のアレイ１０４の位置を、正確に補正することができる。物体テーブル１０
６の移動は一般に、図１には明示されていない長ストローク・モジュール（おおまかな位
置決め）及び短ストローク・モジュール（細かい位置決め）を用いて実現される。同様の
系を使用して、個別に制御可能な要素のアレイ１０４の位置を決めることもできる。或い
は／これに加えて、物体テーブル１０６及び／又は個別に制御可能な要素のアレイ１０４
の位置を固定し、必要な相対移動を得るために、投影ビーム１１０のほうを移動させるこ
ともできる。
【００４３】
この実施例の代替構成では、基板テーブル１０６を固定とし、基板１１４を基板テーブ
ル１０６上で移動させる。この場合、基板テーブル１０６はその平らな上面に多数の開口
を有し、この開口を通して、基板１１４を支持することができるガス・クッションを提供
するガスが供給される。これは従来から空気支持装置と呼ばれているものである。ビーム
１１０の経路に対して基板１１４を正確に位置決めする能力を有する１つ又は複数のアク
チュエータ（図示せず）を使用して、基板１１４を基板テーブル１０６上で移動させる。
或いは、開口を通したガスの放出を選択的に開始／停止することによって、基板１１４を
基板テーブル１０６上で移動させることもできる。
【００４４】
本明細書では、本発明に基づくリソグラフィ装置１００を、基板上のレジストを露光す
るための装置として説明するが、本発明はこの使用法に限定されるものではなく、レジス
トレス・リソグラフィで、パターンが付与された投影ビーム１１０を投影するために装置
１００を使用することもできることを理解されたい。
【００４５】
図示の装置１００は以下の４つの好ましいモードで使用することができる。
【００４６】
１．ステップ・モード：個別に制御可能な要素のアレイ１０４上のパターン全体を、１
つの標的部分１２０の表面に一度に（すなわち１回の静止露光で）投影する。次いで、パ
ターンが付与された投影ビーム１１０によって別の標的部分１２０を照射するために、基
板テーブル１０６を別の位置へｘ及び／又はｙ方向に移動させる。
【００４７】
２．走査モード：ステップ・モードと本質的には同じだが、所定の標的部分１２０が１
回の静止露光では露光されない点が異なる。その代わりに、個別に制御可能な要素のアレ
イ１０４が、所定の方向（いわゆる「走査方向」、例えばｙ方向）に速度ｖで移動するこ
とができ、そのため投影ビーム１１０は個別に制御可能な要素のアレイ１０４の上を走査
する。同時に、基板テーブル１０６を、同じ方向又は反対方向に速度Ｖ＝Ｍｖで同期移動
させる。ここでＭは投影系１０８の倍率である。このようにすると、解像度を犠牲にする
ことなく、比較的に大きな標的部分１２０を露光することができる。
【００４８】
３．パルス・モード：個別に制御可能な要素のアレイ１０４を本質的に固定し、パルス
放射系１０２を使用して基板１１４の１つの標的部分１２０にパターン全体を投影する。
パターンが付与された投影ビーム１１０が基板１０６を横切る線を走査するように、基板
テーブル１０６を本質的に一定の速度で移動させる。放射系１０２のパルスとパルスの間
に、個別に制御可能な要素のアレイ１０４上のパターンが必要に応じて更新され、基板１
１４上の必要な位置の連続した標的部分１２０が露光されるようにパルスのタイミングが
調節される。その結果、パターンが付与された投影ビーム１１０が基板１１４を走査して
、基板１１４の帯状部分に完全なパターンを露光することができる。基板１１４の全体が
ラインごとに露光されるまでこのプロセスを繰り返す。
【００４９】
４．連続走査モード：パルス・モードと本質的には同じだが、実質的に一定の放射系１
０２が使用される点、及び、パターンが付与された投影ビーム１１０が基板１１４を走査
しこれを露光するときに個別に制御可能な要素のアレイ１０４上のパターンが更新される
点が異なる。
【００５０】
上で説明した使用モードの組合せ及び／又は変形、或いは全く異なる使用モードを使用
することもできる。
【００５１】
図２に、図１に示した本発明の実施例を詳細に示す。図１の個別に制御可能な要素のア
レイ１０４は図２のアレイ１に対応し、図１の基板１１４は図２の基板２に対応する。
【００５２】
図２に示した実施例では、放射ビーム（図示せず）がビーム・スプリッタ３によって、
一連のレンズ４、５及び６を通してアレイ１に向かって反射される。次いで光はアレイ１
で反射され、レンズ６、５及び４を通り、次いでビーム・スプリッタ３を通過する。ビー
ム・スプリッタ３を出た光は、レンズ７、８、９及び１０によって画成されたビーム・エ
キスパンダ並びにマイクロレンズ・アレイ１１を通過し、マイクロレンズ・アレイ１１は
一連の光スポットを基板２上に集束させる。レンズ７及び８は、ビーム・スプリッタ３を
出たビームを拡大する。レンズ９及び１０は視野レンズの役目を果たし、マイクロレンズ
・アレイ１１において実質的に平行なビームを生み出す。これは、名目上テレセントリッ
クな光学系を生み出す。レンズ９、１０及び１１はフレーム１２、１３及び１４内に支持
されており、フレーム１２、１３及び１４の位置は調整可能であり、そのためレンズ９、
１０及び１１の小さな変位を制御された方法で達成することができる。図２に示したケー
スでは、レンズ７がある平面にひとみが画成される。
【００５３】
フレーム１２、１３及び１４には変位アクチュエータ（図示せず）が取り付けられてお
り、レンズ９、１０及び１１の位置を調整するために使用される。これらのアクチュエー
タは、これらのレンズの高さ及び／又は傾きを調整するために使用される。このアクチュ
エータは、それらに限定されないが、例えば電子機械、電磁気、熱、圧電アクチュエータ
とすることができ、又はレンズの位置を正確に制御するのに都合のよい任意の方法で動作
することができる。後に説明するように、アクチュエータ駆動機構（図示せず）は制御系
から変位制御情報を受け取る。レンズの変位量はフィードバック制御配置（図示せず）を
使用して測定され制御される。さらに、レンズの位置を倍率に関係付けるアルゴリズムが
使用される。後に説明するように、このアルゴリズムは、シミュレーション又は実験によ
ってモデル化することができる。
【００５４】
個別に制御可能な要素の例示的なアレイ
次に図３から７を参照すると、個別に制御可能な要素のアレイ１の詳細が示されている
。アレイ１は空間的光変調器のアレイ（図３）を含む。空間的光変調器の全般的な特徴は
、例えばその全体が参照によって本明細書に組み込まれる米国特許第５３１１３６０号に
記載されている。
【００５５】
図３に示した実施例では空間的光変調器が、アレイ１の領域１５に画成された駆動機構
によって個別に制御可能な８×８個の要素のアレイを含む。もちろん代替実施例では、ず
っと大きなアレイ、例えば５１２×５１２又は１０２４×１０２４アレイが使用される。
アレイ１の要素はそれぞれ、細長い一連の変位可能部材１６を含む（図４）。変位可能部
材１６は、変位可能部材１６に隣接して位置するサンプル及びホールド回路１７によって
制御することができる（図５）。
【００５６】
図４及び５に示した実施例では、それぞれの要素が、アレイ上に導かれた投影ビームに
付与するパターンの１画素に対応する。変位可能部材１６は通常、共面構成をとり、それ
によってミラーを画成する。このことが図６に示されており、この図では矢印１８が入射
光を表し、矢印１９が反射光を表す。
【００５７】
図７に、それぞれの要素にバイアス電圧を印加したときに変位可能部材１６を所望の位
置に移動させる、本発明の一実施例に基づく方法を示す。この状態では矢印２０によって
示された入射光は単純には反射されず、矢印２１によって指示されているように回折する
。このような回折光は、露光される基板２の方へ向かって光学系を逆戻りしない。このよ
うにして、図２のレンズ７、８、９、１０及び１１に送達される光ビームに所望のパター
ンを付与することができる。
【００５８】
例示的なマイクロレンズ・アレイ
図８に、本発明の一実施例に基づくマイクロレンズ・アレイの構造を示す。図示の構造
は例えば図２の構成要素１１に対応する。マイクロレンズ・アレイは本質的に、それぞれ
のレンズが１画素の光を基板２上に集束させる、非常に小さな多数のレンズを含む。
【００５９】
図９に、基板２上へ投影される本発明の一実施例に基づく点のマトリックスを概略的に
示す。
【００６０】
図８及び９を参照すると、光学系の走査方向、例えばマイクロレンズ・アレイの下で基
板２が変位する方向２４に平行な線２３によって示された方向に対して傾いた破線２２に
よって指示された方向に点のマトリックスが整列するように光学系が配置されている。し
たがって、マイクロレンズ・アレイの下で基板を矢印２４の方向に変位させるときに個々
の画素を適当な制御によって、基板上に所望の露光パターンを構築することができる。
【００６１】
視野レンズを使用して投影ビームを変化させるための例示的な構成
図１０に、本発明の一実施例に基づくマイクロレンズ・アレイ１１の下に位置する基板
２を概略的に示す。この実施例では視野レンズ２５が１枚のレンズを有する。視野レンズ
は、図１０に示すようにレンズを１枚、図２に示すようにレンズを２枚、又はレンズを３
枚以上含むことができることを理解されたい。ただしこれらのどの実施例でも、視野レン
ズの目的は実質的に平行な投影ビームを生み出すことにある。この実施例では投影ビーム
２６が示されている。投影ビーム２６は、マイクロレンズ・アレイ１１の個々のそれぞれ
のレンズ要素２７を照射する。所望の応用例に基づいて任意の数の要素２７を使用するこ
とができるが、この図には、そのうちの３つだけが示されている。
【００６２】
マイクロレンズ・アレイ１１はビーム２６に垂直に、すなわち露光する基板２の表面に
水平に延在する。マイクロレンズ・アレイ１１と基板２の間の間隔は、アレイ１０４（図
１）又はアレイ１（図２）のそれぞれの画素が基板２の表面で集束する間隔である。投影
系の主光軸２８はそれぞれのレンズ２７の線２９に平行である（線２９は、マイクロレン
ズ・アレイ１１のそれぞれのレンズ２７から基板２に向かって光が導かれる方向を示す）
。この図では投影系が、図示の放射線が視野レンズ２５の上方で軸２８と交わっている平
面に対応するひとみを画成する。
【００６３】
図１１は、図１０の実施例が用いられているときの３×３レンズ・アレイを示す、アレ
イ１１の概略上面図である。１枚のレンズの周縁が円３０によって、そのレンズ上へ投影
する照明ビームの外周が円３１によって示され、そのレンズによってその下の基板上に集
束される像スポットの位置が円３２によって示されている。この実施例では円３０、３１
及び３２が同心円である。倍率は、基板上の像スポット間の間隔の関数であり、この実施
例ではこの間隔がアレイ１１のレンズの間隔に等しい。
【００６４】
いくつかの状況では、基板表面の歪みを補償するために光学系の倍率を調整することが
望ましい。例えば、基板の寸法が熱膨張又は収縮の影響を受ける場合には、光学系の倍率
に小さな調整を加えることによって、その熱膨張又は収縮を適合させることができること
が望ましい。
【００６５】
本発明の一実施例によれば、視野レンズ２５の位置を調整し、レンズ・アレイ１１の位
置を調整し、又は視野レンズ２５の位置とレンズ・アレイ１１の位置の両方を調整するこ
とによって、これを達成することができる。視野レンズ２５は一般に比較的に弱いレンズ
であるため、視野レンズ２５の小さな変位は解像度の１次変化をもたらさない。しかし視
野レンズ２５の小さな変位は、マイクロレンズ・アレイ１１によって投影されるスポット
を互いに近づけ（倍率を下げる場合）、又は互いから遠ざける（倍率を上げる場合）。同
様に、アレイ１１の小さな移動によって、基板表面での集束を過度に損なうことなく倍率
を調整することができる。
【００６６】
図１２に、マイクロレンズ・アレイ１１の方向への視野レンズ２５の小さな変位に対す
る光学系の応答を示す。系全体の光軸２８上にマイクロレンズ・アレイ１１によって投影
されるスポットの位置は変わらないが、線２９は、基板２に近づくにつれ光軸２８に向か
って、内側に傾く。
【００６７】
図１３に、アレイ１１のレンズ円３０に対する照明ビームレットの周円３１及び像スポ
ット３２の変位を示す。像スポット３２の位置は、対応する図１１の像スポット３２（白
抜きの円として示されている）の位置の上に重ねて示されている。この図は、光学系の倍
率が効果的に低減されることを示している。集束は若干損なわれるが、線２９の傾きは比
較的に小さく、その全体的な効果はそれほど大きくない。このように、視野レンズ２５を
変位させることによって倍率範囲の小さな変化（１５ｐｐｍ程度）を容易に達成すること
ができる。
【００６８】
図１４及び１５に、視野レンズ２５をマイクロレンズ・アレイ１１から遠ざけた結果を
示す。このように視野レンズ２５を変位させると、基板２に向かうにつれて線２９が軸２
８に対して外側へ傾く。したがって図１４及び１５は光学系全体の倍率の小さな増大を示
す。
【００６９】
説明を分かりやすくするため、図１２及び１４に示した線２９の変位は、倍率の変化が
１５ｐｐｍ程度である実際の線２９の傾きに比べて大幅に誇張されていることを理解され
たい。倍率変化の範囲は数ｐｐｍ、又は１５ｐｐｍ超、例えば１００ｐｐｍにすぎない。
【００７０】
図１０から１５には視野レンズ２５が１枚だけ示されているが、２枚以上の視野レンズ
を提供することができることも理解されたい。例えば、２枚の視野レンズ９及び１０が提
供された図２では、それぞれのレンズを支持フレーム１２及び１３上で変位させて、適当
な倍率変化を達成することができる。
【００７１】
図１２及び１４に示した実施例では、主光軸２８に平行な方向に視野レンズ２５を変位
させる。その結果、基板２の領域全体にわたって倍率の変化は均一になる。他の実施例に
おいては、基板２上の位置によって異なる倍率調整を実施することが望ましいこともある
ことを理解されたい。例えば、大型液晶ディスプレイを製造するために使用されるタイプ
の基板と同様の大きな基板上の温度勾配の結果として倍率調整を実施する場合がこれに当
たる。
【００７２】
図１６には、本発明の一実施例に基づく、視野レンズ２５の２つの考えられ得る位置（
一方が実線、他方が破線で示されている）及びその結果生じる２組の像スポットが示され
ている。この実施例では、視野レンズ２５を光軸２８に対して傾けて、アレイ１１の一方
の側の倍率を低下させ、アレイ１１の他方の側の倍率を増大させることができる。アレイ
１１のこの２つの側の間の倍率調整はアレイ１１上の位置によって異なる。
【００７３】
視野レンズ２５を移動させ、レンズ・アレイ１１は移動させない場合の効果については
図１０から１６に示されている。
【００７４】
図２に示すように、フレーム１４を変位させることによってレンズ・アレイ１１を変位
させることもできる。
【００７５】
レンズ１０とレンズ・アレイ１１の間の照明ビームが完全には平行ではない一実施例で
は、アレイ１１を軸方向に変位させると、レンズ１０を軸方向に変位させた場合と同じよ
うに倍率が変化する。レンズ・アレイ１１を軸方向に移動させると、集束がいくらか損な
われるが、これが過大と考えられる場合には、基板２の位置を軸方向に調整することによ
ってこれを補償することができる。同様に、レンズ・アレイ１１を傾けて光軸に対するア
レイ１１の傾きを変化させると、基板上の位置によって倍率の変化が違ってくる。
【００７６】
したがって本発明は、マイクロレンズ・アレイに依存した、小さいが潜在的にきわめて
重要なリソグラフィ装置の倍率調整の実施を可能にする。
【００７７】
例示的な動作
図１７は、本発明の一実施例に基づく倍率制御プロセス１７００を示す流れ図である。
この実施例では視野レンズだけを変位させる。この方法は、上記の系のうちの１つ、又は
他のリソグラフィ系によって実行できることを理解されたい。
【００７８】
ステップ１７０２で、所望の名目倍率を計算して名目倍率出力３３を得る。次いで投影
系を通して光を投影する。視野レンズは所定の名目位置に置く。ステップ１７０４で、実
際の倍率を測定して測定倍率出力３４を得る。一実施例ではこれを、アライメント・セン
サを使用して実施することができる。ステップ１７０６で、名目倍率出力３３と測定倍率
出力３４とを比較して、名目倍率を達成するために必要な倍率変化を表す倍率誤差出力３
５を得る。
【００７９】
ステップ１７０８で、倍率誤差出力３５を、事前に導き出しておいた、倍率と視野レン
ズの位置との間の関係のモデルに入力する。このステップでは次いでこのモデルを使用し
て、達成された場合に倍率誤差がゼロになる所望の視野レンズ位置に対応する所望のアク
チュエータ位置を表すアクチュエータ制御出力３６を得る。出力３６を視野レンズ位置制
御系３７に入力する。視野レンズ位置制御系３７は、アクチュエータ制御出力３６によっ
て指示された位置まで視野レンズ３８を変位させるために使用される信号１７１０を出力
する。視野レンズ位置変位検知系３９によって実際の視野レンズ位置を測定する。この系
は出力４０を生成する。出力信号４０はフィードバック制御信号として使用され、このフ
ィードバック制御信号はアクチュエータ制御系３７によって受け取られる。フィードバッ
ク制御信号４０は、実際の視野レンズ位置が、出力３６によって表される所望の視野レン
ズ位置に一致することを保証する。
【００８０】
さまざまな実施例において、倍率と視野レンズ位置との間の関係のモデルは、以下に論
じるようにシミュレーション又は実験によって導き出すことができる。
【００８１】
一実施例では、光学投影系の設計に基づいて、その投影系の性能をシミュレートするこ
とができる。これを実行して、系の非テレセントリシティを、投影光学系のひとみに対す
る視野レンズの位置、すなわちビーム・エキスパンダに対する視野レンズの位置の関数と
して計算することができる。この実施例では、基板レベルでの投影系の倍率を、非テレセ
ントリシティ、レンズ・アレイの幾何形状、及び視野レンズに対するレンズ・アレイの位
置から導き出すことができる。このようにして、視野レンズの位置とレンズ・アレイの位
置の間の関係のモデルを得ることができる。次いでこのモデルを例えばルックアップ・テ
ーブルとして制御系にプログラムする。次いでこのモデルを、図１７を参照して説明した
ように使用して、視野レンズの位置を調整するアクチュエータの移動を制御する。
【００８２】
他の実施例では、シミュレーションではなく実験を使用することができる。視野レンズ
位置の変化と結果として生じる倍率の変化との間の関係を測定系を使用して測定する。こ
のプロセスを繰り返して、ある範囲の位置及び位置に対応する倍率を測定する。これらの
測定からルックアップ・テーブルを得る。このルックアップ・テーブルを制御系にプログ
ラムする。露光系の動作中にこのルックアップ・テーブルは、系によって測定された倍率
誤差とともに、視野レンズを移動させるためのアクチュエータへの入力を提供する。この
ようにして倍率誤差は補正される。機械ドリフトを補償するため、この実験を定期的に実
行し、ルックアップ・テーブルを定期的に更新することができる。
【００８３】
図２を参照して説明した本発明の実施例は一例として回折光学（ＭＥＭＳ）装置を使用
しているが、他のコントラスト装置を使用することもでき、任意の可変コントラスト装置
又は制御可能な透過型パターン付与装置を使用して、調整可能な視野レンズ及び調整可能
なレンズ・アレイを通して投影されるビームに適当なパターンを付与することもできるこ
とを理解されたい。同様に、適当な設計のビーム・エキスパンダ、例えば屈折型又は反射
型のビーム・エキスパンダを使用することができる。このような変更及び置換えは全て本
発明の範囲内で企図される。
【００８４】
視野レンズを使用して投影ビームを変化させるための例示的な構成
図１８及び１９は、本発明の一実施例に基づく視野レンズ、マイクロレンズ及び基板の
概略図である。図１８及び１９の参照符号は図１０で使用した符号と対応する。
【００８５】
図１８を参照すると、マイクロレンズ・アレイ１１の焦点面よりも上方に基板２が位置
している。これは例えば基板２に膨らみがある場合に起こる。従来はこれが起こると、焦
点面と一致するまで基板を移動させていた。しかし、大面積の基板、例えばフラット・パ
ネル・ディスプレイ基板、を使用する場合には、基板を焦点面まで移動させることができ
ない場合がある。本発明のこの実施例では、この不一致を補正するために基板２に対して
マイクロレンズ１１を移動させる。
【００８６】
図１９を参照すると、マイクロレンズ・アレイ１１が上方へ移動されており、その結果
、マイクロレンズ・アレイ１１が視野レンズ２５に近づいている。マイクロレンズ・アレ
イ１１の焦点面も対応する量だけ上方へ移動し、その結果、基板２が焦点面に位置してい
る。このように、マイクロレンズ・アレイ１１を使用することによって基板２の膨らみを
補正することができる。
【００８７】
レンズ２７のそれぞれの線２９はマイクロレンズ・アレイ１１の移動後も投影系の主光
軸２８と平行であることを理解されたい。言い換えると、このマイクロレンズ・アレイ１
１の移動によって系の倍率は変化しない。一実施例では、視野レンズ２５が、投影系の残
りの構成要素（図２参照）に関して、マイクロレンズ・アレイ１１の移動の前に線２９が
例えば図１０に示すように平行となるように配置される。
【００８８】
図２０は、本発明の一実施例に基づくマイクロレンズ・アレイの上面図である。この実
施例では、３つのアクチュエータ５０を使用してマイクロレンズ・アレイ１１を作動させ
る。アクチュエータ５０は、マイクロレンズ・アレイ１１の周縁に結合されており、独立
に操作可能である。マイクロレンズ・アレイ１１を上昇又は下降させるときには、３つの
全てのアクチュエータ５０を操作する。
【００８９】
マイクロレンズ・アレイ１１の１つの辺又は角を上方へ移動させ、残りを動かさないこ
とが望ましい場合があることを理解されたい。例えばこれを使用して、マイクロレンズ・
アレイ１１の１つの辺又は１つの角の下の部分だけにある基板２の膨らみを考慮するため
に、焦点面の補正を実施することができる。この実施例では、必要なマイクロレンズ・ア
レイ１１の移動に応じて１つ又は２つのアクチュエータ５０を操作する。この実施例では
、レンズ２７の線２９が投影系の主光軸２８に対して平行でなくなることがある。視野レ
ンズ２５の位置を調整することによって、この偏位の一部を補正することができる。
【００９０】
図には投影系を１つだけ示したが、リソグラフィ装置は、同時に使用されるいくつかの
投影系を備えることができることを理解されたい。例えば、フラット・パネル・ディスプ
レイ・スクリーンを製造するために使用されるリソグラフィ系は、フラット・パネル・デ
ィスプレイ基板の全幅を覆うように配置された複数の投影系を備えることができる。それ
ぞれの投影系の光学要素は独立に調整することができる。
【００９１】
結語
本発明のさまざまな実施例を説明したが、それらは例示のために提示したものであって
、本発明を限定するものではないことを理解されたい。本発明の趣旨及び範囲から逸脱す
ることなくこれらの実施例に形態及び詳細のさまざまな変更を加えることができることは
当業者には明白である。したがって本発明の範囲は上記の例示的な実施例によっては限定
されず、前記請求項及びそれらの等価物によってのみ定義される。
【図面の簡単な説明】
【００９２】
【図１】本発明の第１の実施例に基づくリソグラフィ装置を示す図である。
【図２】図１をより詳細に示す本発明の一実施例に基づく図である。
【図３】本発明の一実施例に基づく空間的光変調器のアレイの概略図である。
【図４】図３の空間的光変調器アセンブリの変位可能要素の斜視図である。
【図５】図３の空間的光変調器の１つの要素の概略図である。
【図６】図３に示した空間的光変調器の１つの要素の状態を示す図である。
【図７】図３に示した空間的光変調器の１つの要素の他の状態を示す図である。
【図８】本発明の一実施例に基づくマイクロレンズ・アレイの斜視図である。
【図９】マイクロレンズ・アレイを使用するときに依存する本発明の一実施例に基づく露光原理の概略図である。
【図１０】名目倍率構成をとる本発明の一実施例に基づく視野レンズ、マイクロレンズ及び基板の概略図である。
【図１１】名目倍率で投影された像スポットの位置を示す本発明の一実施例に基づくマイクロレンズ・アレイの上面図である。
【図１２】図１０に対応する、視野レンズを変位させて倍率を低くした後の図である。
【図１３】図１２に示すように視野レンズを変位させた後の低い倍率での像スポットの位置を示すマイクロレンズ・アレイの上面図である。
【図１４】図１０に対応する、視野レンズを変位させて倍率を高くした後の図である。
【図１５】図１４に示すように視野レンズを変位させた後の高い倍率での像スポットの位置を示すマイクロレンズ・アレイの上面図である。
【図１６】マイクロレンズ・アレイに対する視野レンズの傾きの変更の結果を示す本発明の一実施例に基づく視野レンズ、マイクロレンズ及び基板の概略図である。
【図１７】本発明の一実施例に基づく倍率測定／調整プロセスを表す流れ図である。
【図１８】本発明の一実施例に基づく視野レンズ、マイクロレンズ及び基板の概略図である。
【図１９】本発明の一実施例に基づく視野レンズ、マイクロレンズ及び基板の概略図である。
【図２０】本発明の一実施例に基づくマイクロレンズ・アレイの上面図である。
【符号の説明】
【００９３】
１  個別に制御可能な要素のアレイ
２  基板
３  ビーム・スプリッタ
４  レンズ
５  レンズ
６  レンズ
７  レンズ
８  レンズ
９  レンズ
１０  レンズ
１１  マイクロレンズ・アレイ
１２  フレーム
１３  フレーム
１４  フレーム
１５  駆動機構
１６  変位可能部材
１７  サンプル及びホールド回路
１８  入射光
１９  反射光
２０  入射光
２１  回折光
２５  視野レンズ
２６  投影ビーム
２７  レンズ要素
２８  主光軸
２９  レンズ要素の線
３０  レンズの周縁
３１  照明ビームの外周
３２  像スポット位置
１００  リソグラフィ投影装置
１０２  放射系
１０４  個別に制御可能な要素のアレイ
１０６  物体テーブル
１０８  投影系
１１０  投影ビーム
１１２  放射源
１１４  基板
１１６  位置決め装置
１１８  ビーム・スプリッタ
１２０  標的部分
１２２  放射ビーム
１２４  照明系（照明装置）
１２６  調節装置（ビーム・エキスパンダなど）
１２８  調整装置
１３０  インテグレータ
１３２  コンデンサ
１３４  干渉計測定装置
１３６  ベース・プレート
１３８  干渉計ビーム
１４０  ビーム・スプリッタ
【図１】
0004782820.tif 000002
【図２】
0004782820.tif 000003
【図３】
0004782820.tif 000004
【図４】
0004782820.tif 000005
【図５】
0004782820.tif 000006
【図６】
0004782820.tif 000007
【図７】
0004782820.tif 000008
【図８】
0004782820.tif 000009
【図９】
0004782820.tif 000010
【図１０】
0004782820.tif 000011
【図１１】
0004782820.tif 000012
【図１２】
0004782820.tif 000013
【図１３】
0004782820.tif 000014
【図１４】
0004782820.tif 000015
【図１５】
0004782820.tif 000016
【図１６】
0004782820.tif 000017
【図１７】
0004782820.tif 000018
【図１８】
0004782820.tif 000019
【図１９】
0004782820.tif 000020
【図２０】
0004782820.tif 000021